Podtech/llm-jp-corpus-v4-ja_patent huggingface dataset:
(57)【要約】      （修正有）【課題】ビニール袋の代替となる紙袋を提供する。【解決手段】半透明紙で、中味の見える紙袋を製作する。【選択図】図１
0003155175.tif 000002
【実用新案登録請求の範囲】
【請求項１】
トレーシングペーパのような、中味の見える紙袋。
【考案の詳細な説明】
【技術分野】
【０１】  この紙袋は、ビニール袋の代替となる紙袋である。
【背景技術】
【０２】  従来の透明な袋といえば、ビニール袋である。郵便局の切手や、ハガキ等の入れて渡す、袋もビニール袋である。
銀行の通帳類の袋や、役所の保険証袋もビニール袋である。
【考案が解決しようとする課題】
【０３】  地球温暖化の抑制と次世代に化石燃料の遣産、二酸化炭素ＣＯ２の削減のため、ビニール袋のような中味の見える紙袋に切り替える。
【課題を解決するための手段】
【０４】  中味の見える紙といえば、トレーシングペーパーのような紙である。このトレーシングペーパのような中味の見える紙を、図１と図３のような紙袋とする。
【考案の効果】
【０５】  トレーシングペーパーのような紙を、紙袋にすることにより、ビニール袋の削減により、二酸化炭ＣＯ２の削減、化石燃料の次世代への遣産と地球温暖化の抑制に貢献出来る。
【考案を実施するための最良の形態】
【０６】  加工するトレーシングペーパーのような紙の、寸法の倍のトレーシングペーパーのような紙、図２の符号４の箇所を、二つ折りにし重ね合わせると、図１の中味の見えるトレーシングペーパーのような紙の袋になる。次トレーシングペーパーのような紙を、図４の形に加工し、図４の右側の符号５の箇所を内側に折り曲げ、次に符号６の箇所を内側に、符号４の線の箇所から折り曲げ、重ね合わせた後に、符号８のフタの箇所を、図３の符号６の箇所と符号５の箇所に重ね合わせると、図３のトレーシングペーパーのような紙の袋になる。
【実施例】
【０７】  図２のトレーシングペーパーのような紙を、真中符号４の箇所より二つに折り曲げると、図１のトレーシングペーパーのような紙の袋になる。次に図１のトレシングペーパーのような紙の両側符号５と符号６の箇所を、接着剤で張り合わせると、中味の見える紙袋図１になる。【０８】  図４のトレーシングペーパーのような紙を、符号４の箇所の線を佐右から横に折り曲げ、中心部で図３の符号５の箇所符６を重ね合わせ、接着剤で張り付ける。次に下部のフタ部符号８の箇所を、図３の符号６と符号５の箇所に、接着剤で下部のフタ符号８を張り付けると、図３の中味の見えるトレーシングペーパーのような紙の紙袋になる。
【産業上の利用可能性】
【０９】  郵便局では、切手類や印紙・ハガキ等は、現在ビニール袋に入れお客に渡している。又銀行は通帳類を、役所では保険証類を、ビニール袋入れ使用している。ビニールより透明度は劣るが、トレーシングペーパーのような紙の袋で代替出来る。【０１０】  書籍類を送付している包装は、ビニール包装であるが、トレーシングペーパーのような紙の袋でよい。水にも強い紙である。これらのビニール袋の削減により、化石燃料を次世代に遣産することと、二酸化炭ＣＯ２の削減と、地球温暖化の抑制に貢献出来る。
【図面の簡単な説明】
【図１】  紙袋の斜視図
【図１】
0003155175.tif 000003
【図２】
0003155175.tif 000004
【図３】
0003155175.tif 000005
【図４】
0003155175.tif 000006
【手続補正書】
【提出日】平成21年8月24日(2009.8.24)
【手続補正１】
【補正対象書類名】実用新案登録請求の範囲
【補正対象項目名】全文
【補正方法】変更
【補正の内容】
【実用新案登録請求の範囲】
【請求項１】
半透明紙で製作した、中味の見える紙袋。
【手続補正２】
【補正対象書類名】明細書
【補正対象項目名】全文
【補正方法】変更
【補正の内容】
【考案の詳細な説明】
【技術分野】
【０１】  この紙袋は、ビニール袋の代替となる紙袋である。
【背景技術】
【０２】  従来の透明な袋といえば、ビニール袋である。郵便局の切手や、ハガキ等の入れて渡す、袋もビニール袋である。
銀行の通帳類の袋や、役所の保険証袋もビニール袋である。
【考案が解決しようとする課題】
【０３】  地球温暖化の抑制と次世代に化石燃料の遣産、二酸化炭素ＣＯ２の削減のため、ビニール袋のような中味の見える紙袋に切り替える。
【課題を解決するための手段】
【０４】  中味の見える紙といえば、トレーシングペーパーのような紙である。このトレーシングペーパのような中味の見える紙を、図１と図３のような紙袋とする。
【考案の効果】
【０５】  トレーシングペーパーのような紙を、紙袋にすることにより、ビニール袋の削減により、二酸化炭ＣＯの削減、化石燃料の次世代への遣産と地球温暖化の抑制に貢献出来る。
【考案を実施するための最良の形態】
【０６】  加工するトレーシングペーパーのような紙の、寸法の倍のトレーシングペーパーのような紙、図２の符号４の箇所を、二つ折りにし重ね合わせると、図１の中味の見えるトレーシングペーパーのような紙の袋になる。次トレーシングペーパーのような紙を、図４の形に加工し、図４の右側の符号５の箇所を内側に折り曲げ、次に符号６の箇所を内側に、符号４の線の箇所から折り曲げ、重ね合わせた後に、符号８のフタの箇所を、図３の符号６の箇所と符号５の箇所に重ね合わせると、図３のトレーシングペーパーのような紙の袋になる。
【実施例】
【０７】  図２のトレーシングペーパーのような紙を、真中符号４の箇所より二つに折り曲げると、図１のトレーシングペーパーのような紙の袋になる。次に図１のトレシングペーパーのような紙の両側符号５と符号６の箇所を、接着剤で張り合わせると、中味の見える紙袋図１になる。【０８】  図４のトレーシングペーパーのような紙を、符号４の箇所の線を佐右から横に折り曲げ、中心部で図３の符号５の箇所符６を重ね合わせ、接着剤で張り付ける。次に下部のフタ部符号８の箇所を、図３の符号６と符号５の箇所に、接着剤で下部のフタ符号８を張り付けると、図３の中味の見えるトレーシングペーパーのような紙の紙袋になる。
【産業上の利用可能性】
【０９】  郵便局では、切手類や印紙・ハガキ等は、現在ビニール袋に入れお客に渡している。又銀行は通帳類を、役所では保険証類を、ビニール袋入れ使用している。ビニールより透明度は劣るが、トレーシングペーパーのような紙の袋で代替出来る。【０１０】  書籍類を送付している包装は、ビニール包装であるが、トレーシングペーパーのような紙の袋でよい。水にも強い紙である。これらのビニール袋の削減により、化石燃料を次世代に遣産することと、二酸化炭ＣＯ２の削減と、地球温暖化の抑制に貢献出来る。
【図面の簡単な説明】
【図１】紙袋の斜視図
【図２】両サイドでノリ付する、紙袋の組立平面図。
【図３】紙袋の斜視図。
【図４】袋の中心で重ね合せ、ノリ付する紙袋の組立平面図。
【符号の説明】１は袋の出し入れ口の外側である。
２は袋の出し入れ口の内側である。
３は袋の出し入れ口の角である。
４は折り曲げ箇所である。
５はノリ付け箇所で、重なり合う箇所である。
６は左側のノリ付け箇所で、重なり合う箇所である。
７は上部のフタである。
８は下部のフタてある。
(57)【要約】      （修正有）【課題】閉じた状態の雨傘や日傘を持ち歩く時に、他の荷物が持ちづらく手が使いづらくなるなど日常の様々な動作が制限され不便にならないように、傘を肩や腕に掛けてぶらさげた状態で携行することができる伸縮性のある傘用肩掛けストラップを提供する。【解決手段】傘の手元（ハンドル）部分にプラスチックやゴム等で形成されたジョイント部分を介し吊り紐を装着し、その吊り紐を肩や腕に掛けることにより閉じた状態の雨傘や日傘を手に持たず体にぶらさげた状態で携行することが可能となった。その結果、荷物などが持ちやすくなるなど今までは動作が制限され不便を感じていたことが解消される。【選択図】図３
0003155177.tif 000002
【実用新案登録請求の範囲】
【請求項１】
傘の手元（ハンドル）の何れかの部分にプラスチックやゴム等で形成されたジョイント部分を介して装着し、閉じた状態の雨傘や日傘を肩や腕にかけて携行できるようにした傘用肩掛けストラップ。
【請求項２】
ストラップの吊り紐部分は伸縮性のあるものを採用し、様々な体型の人に対応できることを特徴とする請求項１に記載のストラップ。
【請求項３】
傘とのジョイント部分には、針金入りのキャラクターなどを巻きつけて固定する方法を採用するなどの工夫を凝らすことにより、傘に取り付けておくだけでファッション性があり楽しめるストラップとしても使用できることを特徴とする請求項１に記載のストラップ。
【考案の詳細な説明】
【技術分野】
【０００１】本考案は、傘の手元（ハンドル）部分にプラスチックやゴム素材などで形成されたジョイント部分を介して装着できる伸縮性のあるストラップで、閉じた状態の傘を肩や腕に掛けてぶらさげた状態で携行できるようにしたものである。
【背景技術】
【０００２】従来は、傘の手元（ハンドル）部分にプラスチックやゴム素材などで形成されたジョイント部分を介して装着し、閉じた状態の傘を肩や腕に掛けて携行することができる伸縮性ストラップはなかった。
【考案の開示】
【考案が解決しようとする課題】
【０００３】傘を持って外出した日に、雨がやんでいたり駅やデパートなどの屋内に入った時などに、閉じた状態の雨傘や日傘を手で持っていると鞄や買い物袋などの荷物が持ちづらく、買い物をする時や駅の構内で切符を買ったり本を読んだりする時など日常の様々な状況での動作が制限されて非常に不便であるという難点があった。本考案は、この課題を解消するためになされたものである。
【課題を解決するための手段】
【０００４】傘の手元（ハンドル）部分にジョイント部分１を介して吊りひもを装着し、閉じた状態の傘を肩や腕にかけて携行できるようにした。また、吊りひもに伸縮性のあるコイル状のもの２を使用して様々な体型に対応できるようにしたり、傘とのジョイント部分１のデザインに針金入りのキャラクター３などを巻きつけて固定する方法を採用するなどの工夫を凝らすことにより、傘に取り付けておくだけでファッション性があり楽しめるストラップとしても使用できるようにした。
【考案の効果】
【０００５】傘を持って外出した時、様々な状況下で手に持っている閉じた雨傘や日傘がなにかとじゃまであったが、本考案により傘を肩や腕に掛けて携行できるようになり、その結果様々な動作がしやすくなった。手の自由度が増すことにより、買い物などで商品を手にとってじっくり見やすくなったり会計時に鞄から財布を取り出しやすくなるなど日常の動作もスムーズになり、傘１本持っているだけで動作が制限され不便を感じていたことが解消される。
また傘とのジョイント部分１にキャラクター３などを採用することによりファッションとしての傘の注目度の向上にも貢献することができる。
【実施例】
【０００６】本考案の実施例を図２に示した。
【図面の簡単な説明】
【０００７】
【図１】本考案を示した全体図である。
【図２】本考案の実施例を示した図である。
【図３】本考案の使用例を示した図である。
【符号の説明】
【０００８】１  傘の手元（ハンドル）とストラップ本体とのジョイント部分
２  伸縮性のあるコイル状の吊りひも部分
３  傘の手元とストラップ本体のジョイント部分にキャラクターを採用した例
４  傘の手元に装着時のイメージ
５  実際に肩掛けとして使用した時のイメージ
【図１】
0003155177.tif 000003
【図２】
0003155177.tif 000004
【図３】
0003155177.tif 000005
【手続補正書】
【提出日】平成21年8月24日(2009.8.24)
【手続補正１】
【補正対象書類名】実用新案登録請求の範囲
【補正対象項目名】全文
【補正方法】変更
【補正の内容】
【実用新案登録請求の範囲】
【請求項１】
傘の手元を構成するハンドル部分にプラスチックやゴムで形成されたジョイント部分を介して装着し、閉じた状態の雨傘や日傘を肩や腕にかけて携行できるようにした傘用肩掛けストラップ。
【請求項２】
ストラップの吊り紐部分は伸縮性のあるものを採用し、様々な体型の人に対応できることを特徴とする請求項１に記載のストラップ。
【請求項３】
傘とのジョイント部分に、針金入りのキャラクターを巻きつけたことを特徴とする請求項１に記載のストラップ。
(57)【要約】      （修正有）【課題】細微、微薄、軟物品に傷を付ける事無く物品を捕捉し、静電対策にも効果を発揮し、先端部の加工をも容易にするピンセットを提供する。【解決手段】竹の表皮を削り落とした部分を基準とし一定の板厚に加工し、表皮の下の繊維の密集している部分を本体の内側に用いることでピンセット本来のバネ性を有し、細微、微薄、軟物品に傷を付ける事無く捕捉することが出来、静電対策にも適し、先端部をナイフ及びサンドペーパー等で容易に加工し易くした。【選択図】図２
0003155154.tif 000002
【実用新案登録請求の範囲】
【請求項１】
唐竹の表皮の下の繊維組織が密集している箇所を、製品の内側に用いることで竹の優れたバネ性と適度な硬さを有し、ある程度の耐久性を保ち、利用者が用途に合わせ先端部を任意に加工することが出来るとともに、製品本体の肉厚を削ることで、バネ性を弱めることも可能であり、また、製品全体が非導電性で静電対策も図れるこの商品は、竹の優れた特性を活かし、利用者が任意に加工できることを特徴としたものです。
【考案の詳細な説明】
【技術分野】
【００１】  本考案は、細微、微薄なものを掴む事が出来、物品への傷低減も図れ、非導電性のため静電対策も取れるピンセットに関する。
【背景技術】
【００２】金属製のピンセットを使用した場合、軟質物品に傷を付けたり、静電対策に劣り、通電し製品及び物品に不具合が生じることがあり、これらを防止するため、竹を材質とするピンセットを使用するに至った。【００３】市販の各種の材質のピンセットを使用したが満足を得るに至らなかった。
【実用新案文献】
該当なし
【特許文献】
該当なし
【非特許文献】ＨＯＺＡＮエレクトロニクスツール総合カタログ１９９５年Ｐ１５
【非特許文献】サンクアスト産業用研究機器カタログ２００９年Ｐ１７７６
【考案の開示】
【考案が解決しようとする課題】
【００４】これまで使用した金属製のピンセットでは材質的に硬すぎたり、プラスチック製ピンセットは先端部を思い通りの薄さに加工できず、市販の竹ピンセットは磨耗が激しく、再三に渡り研磨加工に時間を費やした。【００５】市販の竹ピンセットは材質的に柔らかいため消耗が激しく、更新が早く、またメンテナンスに多くの時間が費やされ、無駄となる経費が発生していた。【００６】軟物質に使用するピンセットは、適度の硬さと柔らかさを兼ね備えた材質を必要とする。【００７】硬からず、柔らかからず、更に非導電性に優れ、ある程度の耐久性に富み、無駄な経費の抑制になるピンセットを製作することが目的である。
【課題を解決するための手段】
【００８】本考案は、表皮を剥ぎ落とした部分を基準とし、そこから一定の板厚に切削し、竹材の繊維の密集している部分を本製品の内側に用いる。
【考案の効果】
【００９】先端部を微薄に加工しても耐久時間が大幅に伸びることで研磨加工等のメンテナンス時間が大幅に削減でき、購入数量の低減が図られ、更に、取り扱う製品あるいは部品への傷及び、静電破壊等の不具合を防止することで、経費削減に貢献できる。
【考案の実施するための最良の形態】
【０１０】以下、本考案の実施形態を図１〜図３に基づいて説明する。
【０１１】図１は竹材の断面であり、１は竹の表皮部分で、２は竹の繊維密度の密集した部分で、２の部分を活用し、３の部分は活用するに値しない。
【０１２】図２は正面図で、４，５は本体であり７はスペーサであり４及び５の支点となり、先端部６で物を掴む。
【０１３】図３は平面図である。
【０１４】図４は６の先端部の加工例の図であり、６の外側は使用状態に応じそれぞれの形状に加工して使用する。
【図面の簡単な説明】
【０１５】
【図１】  本考案に使用されている竹材の断面図
【図２】  本考案の正面図
【図３】  本考案の平面図
【図４】  本考案の先端部加工例
【符号の説明】
【０１６】１    表皮部分
２    竹材繊維密集部分
３    竹材繊維過疎部分
４    本体
５    本体
６    本体先端部
７    スペーサ
８    ロゴマークと製品番号
９    先端部加工例
【図１】
0003155154.tif 000003
【図２】
0003155154.tif 000004
【図３】
0003155154.tif 000005
【図４】
0003155154.tif 000006
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
ピンセットの本体に唐竹を用い、竹の表皮の下の繊維組織が密集している面を内側し、本体中央部の外側に膨らみを持たせた構造にした事で、バネ性に富み、先端部上下を合わせた時、隙間が生じる事無く密着し、微薄な物品や、軟質な物品に傷を付けずに捕捉でき、製品全体が非導電性であるため静電対策も図れ先端部を容易に加工することが出来る事を特徴とした竹製のピンセット。
【手続補正２】
【補正対象書類名】図面
【補正対象項目名】図３
【補正方法】変更
【補正の内容】
【図３】
0003155154.tif 000007
【手続補正３】
【補正対象書類名】図面
【補正対象項目名】図４
【補正方法】変更
【補正の内容】
【図４】
0003155154.tif 000008
(57)【要約】      （修正有）【課題】部分的に装飾をおこなう衣類において、布地の縫い付けや刺繍によらず、ファスナーを活用して容易に当該装飾部分を取替可能にした衣類を提供する。【解決手段】衣類本体５において、装飾等を入れ取替可能にしたい部分に穴１をあける。該穴１の内周にファスナーの一方の片を配する。さらにこの穴１の内径と同じ外径の挿入用布地４を作成し、その外周にファスナーの他方の片を配する。挿入用布地４に用途に応じた装飾等を施す。穴１に挿入用布地４をはめ込み、ファスナーで、両者を結合して該衣類を構成する。【選択図】図１
0003155152.tif 000002
【実用新案登録請求の範囲】
【請求項１】
衣服にファスナー仕様の種々な形状の穴を作り、その中に多種、多様な挿入用布地をはめ込むこと、又同じく修繕用布地を作業服などでも適用出来ることである。
【考案の詳細な説明】
【技術分野】
【０００１】本考案は衣類に予め部分装飾と、その修繕を可能とするファスナーを用いることでユーザーが衣服の部分カラーコーデネート及び、補修（修繕）を図るものである。
【背景技術】
【０００２】従来は部分装飾等をする際は背中、胸方、膝、肘等の一部に布きれを縫うか、刺繍するか、又はマジック止めする方法が一般的であった。
【考案の概要】
【０００３】本考案は予め、衣服の部分にファスナーを設けて置き、ユーザーがコーディネートで服の任意の場所に、文字、ネーム、模様等を自由に選択、これを各種、各サイズのファスナー仕様の布地で脱着自在に出来ることを目的とする。
【考案が解決しようとする課題】
【０００４】ユーザーが各種衣服の部分カラーコーディネートを簡単に表現したい、又、部分修繕を迅速にしたいが容易に出来ないものがあった。
【課題を解決するための手段】
【０００５】ユーザーの容易に部分装飾等の要望を解決するために予め、工場にて製作されたファスナー仕様の穴付上着にそれと同様の型とサイズを決められたファスナー仕様の布地をはめ込み、カラーコーディネートする、又、同じく背中の背番号、名前等の脱着、変更が簡単に出来る、それと作業服などの消耗する場所（膝、肘、等）に十分対応可能である。
【図面の簡単な説明】
【０００６】
【図１】本考案の実施例（表面に利用した時）を示す、説明図（ａ）は衣類本体部分で（ｂ）は交換用布地。
【考案を実施するための形態】
【０００７】衣類本体（ａ）に予め指定された様々な布地をセット化してファスナー形状にして、はめ込み、ユーザーが希望する布地（ｂ）をデザイン、作成して、提供する。
【符号の説明】
【０００８】１．丸型仕様のファスナー穴
２．ファスナー用止め金
３．ファスナー用スライス
４．挿入用丸型布地
５．上着本体
【図１】
0003155152.tif 000003
【手続補正書】
【提出日】平成21年8月13日(2009.8.13)
【手続補正１】
【補正対象書類名】実用新案登録請求の範囲
【補正対象項目名】全文
【補正方法】変更
【補正の内容】
【実用新案登録請求の範囲】
【請求項１】
衣服の任意の場所にファスナー仕様の穴を設けた衣服の部分と、前記ファスナー仕様の穴と同様の形とサイズのファスナー仕様の布地をはめ込んだ、交換可能な部分装飾とその修繕が出来る衣服。
(57)【要約】      （修正有）【課題】ゴルフに於いて重要なスタンスに対してボールの位置を正確に把握する事により正確なショットを生み出すための練習用マットを提供する。【解決手段】ゴルフ練習時、スタンスマット、ショットマット全面にボールに対して網目状の横線Ｘ，縦線Ｙを描くことによりボール位置と自分のスタンス位置を正確に把握出来る。誰もが全面に網目状の横線、縦線の描かれたスタンスマット、ショットマットを使用して練習する事により自分の目の位置により正確にボールに対するスタンス位置を収得出来正確なショットが出来るようになる。【選択図】図１
0003155158.tif 000002
【実用新案登録請求の範囲】
【請求項１】
ゴルフプレーヤーがスタンスを採るスタンスマットと、ゴルフボールをセットさせるショットマットとでなしたゴルフ練習用マットにおいて、等間隔の縦横線を描いたスタンスマットと、更に等間隔の縦横線を描いたショットマットとで成したことを特徴としたゴルフ練習用マット。
【請求項２】
前記スタンスマットとショットマットとは一体的に形成したことを特徴とした請求項１記載のゴルフ練習用マット。
【請求項３】
前記スタンスマットとショットマットとは各々個別に形成して並べたことを特徴とした請求項１記載の練習用ゴルフマット。
【請求項４】
前記スタンスマットとショットマットとは縦横線とは異色の合成樹脂植毛としたことを請求項１〜３のいずれか１記載のスタンスマットとショットマット。
【考案の詳細な説明】
【技術分野】
【０００１】本考案は、ゴルフ練習時、自分のスタンス位置及びボール位置を正確に把握出来るようにするためのゴルフ練習用マットに関する。
【背景技術】
【０００２】従来ゴルフマットは、下記文献１に示すごとく、スタンスマット、ショットマットに目印となる網目状の横線、縦線が全面に描かれて無いため自分の経験と勘だけで練習しているため何時まで立っても自分のスタンスとボールの位置関係が正確に把握出来ない。
【先行技術文献】
【特許文献】
【特許文献１】実登３００５３９９・・・文献１  本案と違いスタンスマットのみに線が描かれている  又、線幅も粗い線である  又全体に線が描かれていない。実登３０５３６１９・・・文献２  本案と違い全体に線が描かれていない。実開平０５−０５６１６９・・・文献３  本案と違いスタンスマットのみに線が描かれている  又全体に線が描かれていない
【考案の概要】
【考案が解決しようとする課題】
【０００３】ゴルフに於いて重要なスタンスに対してボールの位置を正確に把握する事により正確なショットを生み出すための練習用具で有る。
【課題を解決しようと手段】
【０００４】スタンスマットとショットマットにボール位置に対し網目状の横線、縦線を全面に亘り描く。
【考案の効果】
【０００５】（１）請求項１により、
誰もが全面に網目状の横線、縦線の描かれたスタンスマット、ショットマットを使用して練習する事により自分の目の位置により正確にボールに対するスタンス位置を収得出来正確のショットが出来るようになる。
ットマットとで成したことを特徴としたゴルフ練習用マット。
（２）請求項２により、
一体的にしていることにより縦横線のズレが無くなる。
（３）請求項３により、
個別にしていることにより、持ち運びが便利になり、傷んだマットだけ交換することが出来る。
（４）請求項４により、
植毛する事により縦横線のかすれ、ハゲる事が無くなる。
【考案を実施するための最良の形態】
【０００６】以下本考案を実施例として掲げた図面に基づいて説明すると，図１はゴルフ練習マットの図面であってマット本体１はゴルフプレーヤーがスタンスを採るスタンスマット２とゴルフボールをセットさせるショットマット３よりなしている。
而してこの両マット２，３には図１，図２に示すように等間隔の横線Ｘ，縦線Ｙを描いている。【０００７】スタンスマット２とショットマット３に網目状の横線Ｘ、縦線Ｙが存在する為アドレスに立った時、ゴルフに於いて重要なボール位置とボールに対しスクェアに立つことにより、方向性を増す為に必要な自分のスタンス位置とボール位置を正確に把握出来るよう練習に於いて習慣づけ目標に向かってまっすぐに立てるようにしている。【０００８】スタンス位置及びボール位置に網目状の横線Ｘ，縦線Ｙが存在する為ボールの位置を前後左右正確にする事が出来るようになる。この練習の繰り返しにより正確なスタンス及びボールの位置を把握出来るようになる。
勿論、ここに述べるスタンスマット２、ショットマット３とは敷物も含む。この両マット２，３には全面に亘って網目状の横線Ｘ，縦線Ｙが描かれている。
このＸ，Ｙの線を細かく描く事によりマス目を小さくし微細な位置を選定、選択する事が出来る。
【図面の簡単な説明】
【図１】本考案の一体型マットの平面図ある。
【図２】本考案の一体型マットの側面図である。
【図３】本考案の分離型マットの正面図、側面図である。
【図４】本考案の分離型マット側面図である。
【０００９】符号の説明
１  マット本体
２  スタンスマット
３  ショットマット
Ｘ  マットに引かれた横線
Ｙ  マットに引かれた縦線
Ｂ１  ボールの位置を示す
Ｂ２  ボールの位置を示す
Ｂ３  ボールの位置を示す。
Ｔ  ティーショットのボールの位置を示す。
【図１】
0003155158.tif 000003
【図２】
0003155158.tif 000004
【図３】
0003155158.tif 000005
【図４】
0003155158.tif 000006
【手続補正書】
【提出日】平成21年7月15日(2009.7.15)
【手続補正１】
【補正対象書類名】実用新案登録請求の範囲
【補正対象項目名】全文
【補正方法】変更
【補正の内容】
【実用新案登録請求の範囲】
【請求項１】
ゴルフプレーヤーがスタンスを採るスタンスマットと、ゴルフボールをセットさせるショットマットとでなしたゴルフ練習用マットにおいて、等間隔の縦横線を描いたスタンスマットと、更に等間隔の縦横線を描いたショットマットとで成したことを特徴としたゴルフ練習用マット。
【請求項２】
前記スタンスマットとショットマットとは一体的に形成したことを特徴とした請求項１記載のゴルフ練習用マット。
【請求項３】
前記スタンスマットとショットマットとは各々個別に形成して並べたことを特徴とした請求項１記載のゴルフ練習用マット。
【請求項４】
前記スタンスマットとショットマットとは縦横線とは異色の合成樹脂植毛としたことを請求項１〜３のいずれか１記載のゴルフ練習用マット。
(57)【要約】      （修正有）【課題】封をする場合に開閉口の接合部分を密着させなくてもテープを貼ることができる段ボールケースを提供する。【解決手段】段ボールケースを封をする接合部分を互い違いに切り、隙間なくあわせられるようにする。開封時に刃物を使用する場合でも中の品物を傷つける事なく開封する事が出来る。【選択図】図１
0003155190.tif 000002
【実用新案登録請求の範囲】
【請求項１】
本考案は段ボールケース等の封をする部分を一段又は数段を互い違いに切り隙間無くあわせられるようにした段ボールケース。
【考案の詳細な説明】
【技術分野】
【０００１】  本考案は段ボールケース等の開閉口に互い違いに段差をつけた段ボールケースによるものである。
【背景技術】
【０００２】  段ボールケース等に品物を入れてテープ等で封をする場合に、ケースの両方から力で押して開閉口の部分をきちっと合わせながらテープを貼り封をしていた。
【考案の開示】
【考案が解決しようとする課題】
【０００３】  段ボールケース等の開閉口を密封するために少しでも開いた状態でテープ等を貼ると中の品物にテープが付着したり、又中にパット等を入れる場合にも時間的にも労働的にも負担であり、開封時接合面のテープを切る場合第５図▲エ▼の部分で刃物を受け止める為、パット等を入れなくても中の品物を傷つける事がないため労働的にも経済的にも負担が軽減される。
【考案の効果】
【０００４】  上述のように本考案は段差開閉口付き段ボールケースは封をする部分が密着しなくても段差のある下の第５図▲エ▼の部分で封をするテープを受け止めるため、貼ったテープが品物に付着することもなく完全に封をすることに役立ち、又刃物により開封する場合直接品物に刃物が当たらないため中の品物えを守ることに役立つ。
【考案を実施するための形態】
【０００５】  段ボールケース等の封をする部分の開閉口一段又は数段を互い違いに長短にし段差を付けることにより力を入れてダンボールケースの封鎖口を押さえて密着していなくても封ができ労働的経済的負担を軽減する、
【実施例】
【０００６】  上述のように開閉口に少しの隙間があって密封される場合でも別にパットを入れなくてもすみ労働的負担、経済的負担が軽減される。
【図面の簡単な説明】
【０００７】
【図１】  本考案の段差開閉口つき段ボールケースの立体図
【図２】  平面図
【図３】  第２図▲ア▼から見た側面図
【図４】  第２図▲イ▼から見た側面図
【図５】  第４図▲ウ▼の部分の拡大図
【図１】
0003155190.tif 000003
【図２】
0003155190.tif 000004
【図３】
0003155190.tif 000005
【図４】
0003155190.tif 000006
【図５】
0003155190.tif 000007
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
段ボールケース等の封をする部分を一段又は数段を互い違いに切り隙間無くあわせられるようにした段ボールケースである。
(57)【要約】      （修正有）【課題】絵や書を容易に制作できる様にガイドラインを印刷した用紙を提供する。【解決手段】白紙の用紙に絵や書を描くときに便利なように、蛍光灯下で距離をおくと見えなくなるような基盤線のガイドライン線を、破線またはドットで印刷した用紙を作成する。該用紙を使用するに当っては、デジタルカメラ等で撮影した描画対象物や、手本となる書等の上に上記のガイドラインと相似な間隔でガイドライン線を描き、このガイドライン線と描画対象物との交点を参照して、上記のガイドラインを印刷した用紙に絵や書を作成する。【選択図】図２
0003155184.tif 000002
【実用新案登録請求の範囲】
【請求項１】
絵や書を描くときに便利な碁盤状のガイド線を白紙に破線またはドットで印刷する。
【考案の詳細な説明】
【技術分野】
【０００１】本考案はガイドラインを印刷した用紙を作成することで、絵や書を書き易くしたものです。
【背景技術】
【０００２】初心者が絵や書くときに白紙に書くことは難しく、バランスの悪い作品になってしまいます。あるいは自分で線を入て書いても後に線が残り作品として見劣りがしていました。
【考案の概要】
【考案が解決しようとする課題】
【０００３】白紙の用紙に絵や書を書き込む際に書きやすくします。
【課題を解決するための手段】
【０００４】絵や書を書くときに案内になる碁盤のガイド線を破線またはドットで印刷します。
【考案の効果】
【０００５】絵や書を書くときに案内になる碁盤のガイド線は便利ですが、書き上げたときにはそのガイド線は邪魔になります。
そのガイド線を細い破線や小さいドッドにする事で、仕上がった作品の邪魔にならなくなります。
【図面の簡単な説明】
【０００６】
【図１】デジカメ等で撮影した書く対象物、または見本になるものを碁盤線で分割した物
【図２】ガイドラインを印刷した用紙
【図３】ガイドラインの一部を拡大表示したもの
【考案を実施するための形態】
【０００７】用紙にガイドラインを印刷する際に、ガイドラインがあっても絵を書き終わったときにガイドが目立たないようにします。
ラインは破線またはドット印刷します。ドットの間隔、太さを用紙に対して最適な状態で印刷すると、ガイドラインの上から絵を書いても作品になったとき、ガイドラインが邪魔にならず書きあがります。
【実施例】
【０００８】用紙に、破線あるいはドットで形成するガイドラインを入れて印刷します。
【産業上の利用可能性】
【０００９】ガイドラインを印刷した用紙を販売します。
【符号の説明】１．デジカメ等で撮影した描く対象物になるものを碁盤線で分割した物です。
２．ガイド線の入った画用紙。
３．線を拡大したものです。
【図１】
0003155184.tif 000003
【図２】
0003155184.tif 000004
【手続補正書】
【提出日】平成21年8月10日(2009.8.10)
【手続補正１】
【補正対象書類名】実用新案登録請求の範囲
【補正対象項目名】全文
【補正方法】変更
【補正の内容】
【実用新案登録請求の範囲】
【請求項１】
白紙の用紙に絵や書を描くときに便利なように、蛍光灯下で距離をおくと見えなくなるような碁盤線のガイドライン線を、破線またはドットで印刷したことを特徴とする用紙。
【手続補正２】
【補正対象書類名】図面
【補正対象項目名】全図
【補正方法】変更
【補正の内容】
【図１】
0003155184.tif 000005
【図２】
0003155184.tif 000006
【図３】
0003155184.tif 000007
(57)【要約】      （修正有）【課題】公衆トイレなど不特定多数の人が利用する小便器に使用するマットを提供する。【解決手段】住宅用トイレマットと同じように、小便器の手前床にマットを敷けば、床汚れの解消ができる、又、マットに足マークを入れれば、人は自然にその上に立ち、小便器とは適当の距離で用を足し、汚れも少なくなり、清潔感が保たれる。本小便器用マットは二重構造で、上層はポリエステル繊維又はアクリル繊維製で、下層はゴム製、ゴムの下面に網状のすべり止めを作る。上層に別色繊維で足マークを作る。マットの前面に小便器と合う形状を切り、各メーカーの小便器のサイズに共通使用できるように、掃除機の取替紙パックのような切り込み口を入れ、ハサミなどで各自の小便器に合うよう簡単に切れることが望ましい。【選択図】図３
0003155181.tif 000002
【実用新案登録請求の範囲】
【請求項１】
上層ポリエステル繊維▲３▼と、下層ゴム▲４▼と、網状すべり止め▲５▼と、別色でできた足マーク▲２▼と、長方形の片面に小便器と合う形状の切り込み▲６▼と、を整えた小便器用マット▲１▼。
（図１、図２）
【考案の詳細な説明】
【技術分野】
【０００１】本考案は、公衆トイレなど不特定多数の人が利用する小便器に使用するマットに関するもの。
【背景技術】
【０００２】家庭、ホテルなどの便座用マットは普及していますが、小便器用マットはありません。
【考案の開示】
【考案が解決しようとする課題】
【０００３】しかし小便器の手前床の汚れはあちこち目立ちます、きちんと掃除しない場合、汚れは床に滲みこんで、臭いが取れなくなります。
【課題を解決するための手段】
【０００４】この課題を解決するための請求項１の発明は、小便器の形状を切り込んだマットを小便器の手前に敷き、外に垂れた尿を受ける、マットを取替えて洗えば、床はいつも清潔に保つことができます。マットの上層はポリエステル繊維製で、吸水性がよい、下層はゴム製で、防水性がよく、尿が床まで滲みることはない。ゴム層の下面に網状のすべり止めを付け、人が踏んでもずれにくい。さらに、マットの上層に適当な位置で別色の繊維で足マークを作り、人は自然にその上に立って、小便器と近い距離で用を足していくので、垂れる尿が少なくなることは明らかです。（図３）
【考案の効果】
【０００５】この小便器用マットを敷き、一定の間隔でマットを洗えば、小便器の手前床がいつも清潔に保つことができます、又、足マークが入っているため、人はいつもより一歩前に立ち、垂れる尿が少なくなると同時に、小便器下部外側の汚れも少なくなります。
【考案を実施するための最良の形態】
【０００６】本考案の小便器用マットは二重構造で、上層はポリエステル繊維又はアクリル繊維製で、下層はゴム製、ゴムの下面に網状のすべり止めを作る。上層に別色繊維で足マックを作る、もし同じ色でしたら、繊維を足の形に短く切っても構いません。マットの前面に小便器と合う形状を切り、各メーカーの小便器のサイズに共通使用できるように、掃除機の取替紙パックのような切り込み口を入れ、ハサミなどで各自の小便器に合うよう簡単に切れることが望ましい。
【図面の簡単な説明】
【０００７】
【図１】小便器用マット平面図（寸法は参考用）。
【図２】小便器用マット断面図（寸法は参考用）。
【図３】小便器用マット使用図。
【符号の説明】
【０００８】１    マット
２    足マーク
３    上層ポリエステル繊維
４    下層ゴム
５    網状すべり止め
６    小便器形状切り込み
７    小便器
【図１】
0003155181.tif 000003
【図２】
0003155181.tif 000004
【図３】
0003155181.tif 000005
【手続補正書】
【提出日】平成21年8月7日(2009.8.7)
【手続補正１】
【補正対象書類名】実用新案登録請求の範囲
【補正対象項目名】全文
【補正方法】変更
【補正の内容】
【実用新案登録請求の範囲】
【請求項１】
上層ポリエステル繊維▲３▼と、下層ゴム▲４▼と、網状すべり止め▲５▼と、別色でできた足マーク▲２▼と、長方形の片面に小便器と合う形状の切り込み▲６▼と、を整えた小便器用マット▲１▼。
(57)【要約】      （修正有）【課題】音と光によって身につけている者が自分の所在場所を周囲に知らしめるお助けベルを提供する。【解決手段】ペットボトルに、目覚まし時計から取り出した電子音を発生する回路１とスピーカー２とスヌーズスイッチ３、及び電球１２を固定し、スヌーズスイッチ３に電子音を発生する回路１と電球１２を接続し、電子音を発生する回路１を電池ボックス５と接続して電源を供給し、スヌーズスイッチ３の上方に設置したペットボトルのキャップ８を閉めることでスヌーズスイッチ３が入力され、電子音を発生する回路１と電球１２に電源が供給されることにより電子音が発生し電球が点灯する。【選択図】図１
0003155182.tif 000002
【実用新案登録請求の範囲】
【請求項１】
ペットボトルに、目覚まし時計から取り出した電子音を発生する回路１とスピーカー２とスヌーズスイッチ３、及び電球１２を固定し、ペットボトルのキャップを閉めることで電子音が発生し電球が点灯することによって、自分の所在場所を音と光で周囲に示す道具。
【考案の詳細な説明】
【技術分野】
【０００１】  本考案は、日没後の海上や山林、トンネルなどの暗所において、自分の所在場所を音と光によって周囲に知らしめる道具に関する。
【背景技術】
【０００２】  音声によって自分の所在場所を周囲に知らしめる道具は、音のみによって自己の所在場所を知らしめるものであり、この道具では暗所では自己の所在場所の特定に困難を伴った。
【考案の開示】
【考案が解決しようとする課題】
【０００３】  自己の所在場所が他人から見失われた者は、日没後の海上や山林、トンネルなどの暗所において、自分の所在場所を容易に突き止めてもらうための手がかりとなる情報を提供する必要があるが、日没後の海上や山林、トンネルなどの暗所においては、音だけで自己の所在場所の特定を容易にするものではなく、また、音だけでは目視による確認に困難を伴った。
【課題を解決するための手段】
【０００４】  ペットボトルに、目覚まし時計から取り出した電子音を発生する回路１とスピーカー２とスヌーズスイッチ３、及び電球１２を固定し、ペットボトルのキャップを閉めることで電子音と電球からの光を発生させる。スピーカー２を目覚まし時計の標準的なスピーカーである０．２５Ｗのものから、０．５Ｗのものに変える。目覚まし時計から取り出した電子音を発生する回路１を使う。
【考案の効果】
【０００５】  本考案はペットボトルと目覚まし時計の構成部品と任意の電球を使用するが、目覚まし時計に標準的に使用されているスピーカーを変えることで音量が大きくなり、広い範囲で自分の所在場所を周囲に知らしめることができるようになる。また、目覚まし時計の電子音を発生させることで発生音による心理的な苦痛を軽減する。さらに、電球を使うことで、光により自分の所在場所を周囲に知らしめることができるようになる。
【考案を実施するための最良の形態】
【０００６】  本考案にかかる迷子ベルは、図１に示すように、ペットボトルを上下に切り分けたうちのペットボトル底部４に穴を開けて、底部に固定したスピーカー２からの音声が外部に伝わるようにする。スピーカー２は、スピーカー固定用の緩衝材Ａを２個用いて上下から挟み、ペットボトル底部４に固定する。スピーカー２は回路１と電線１１で接続する。緩衝材Ａは、ペットボトル底部４にはまるように切断し、これと同心円になるように円形を切り出す。【０００７】  スピーカー２を挟んでいる緩衝材Ａのうち上の緩衝材の上面に目覚まし時計から取り出した電子音を発生する回路１を固定し、回路１に電力を供給するための電池ボックス５をネジＣでペットボトル上部６に固定している。回路１と電池ボックス５は電線９で接続する。【０００８】  回路１に電力を供給するためのスイッチ３をスイッチ固定用の緩衝材Ｂに取付け、ペットボトルの注ぎ口７に固定している。回路１とスイッチ３は、電線１０で接続する。スイッチ３とソケット１３を電線１４で固定し、ソケット１３に電球１２を接続する。【０００９】  スイッチ３を入力するにはスイッチ３を固定することが必要であるが、そのためには、ペットボトルのキャップ８をひねって安定させることにより、入力状態を保持する。これにより回路１及び電球１２に電力を供給し、発生した電子音をスピーカー２を通じて外部に伝え、電球１２から光が発生する。【００１０】  ペットボトル底部４に開ける穴は、ペットボトル底部４の壁面に対して垂直に穿孔することにが望ましく、これにより音量をより大きくすることができる。【００１１】  電球１２は、回路１に固定することが望ましく、これにより、電球を安定して固定することができる。
【図面の簡単な説明】
【００１２】
【図１】  本考案にかかるお助けベルの断面図である。
【図２】  本考案にかかるお助けベルをペットボトル底部から見た平面図である。
【符合の説明】
【００１２】  １  目覚まし時計から取り出した電子音を発生する回路
２  スピーカー
３  スイッチ
４  ペットボトル底部
５  電池ボックス
６  ペットボトル上部
７  ペットボトルの注ぎ口
８  ペットボトルのキャップ
９  回路１と電池ボックス５をつなぐ電線
１０  回路１とスイッチ３をつなぐ電線
１１  回路１とスピーカー２をつなぐ電線
１２  電球
１３  電球を接続するソケット
１４  ソケット１３とスイッチ３をつなぐ電線
Ａ  スピーカー２固定用の緩衝材
Ｂ  スイッチ３固定用の緩衝材
Ｃ  電池ボックス５固定用のネジ
【図１】
0003155182.tif 000003
【図２】
0003155182.tif 000004
【手続補正書】
【提出日】平成21年8月10日(2009.8.10)
【手続補正１】
【補正対象書類名】実用新案登録請求の範囲
【補正対象項目名】全文
【補正方法】変更
【補正の内容】
【実用新案登録請求の範囲】
【請求項１】
ペットボトルに、目覚まし時計から取り出した電子音を発生する回路１とスピーカー２とスヌーズスイッチ３、及び電球１２を固定し、スヌーズスイッチ３に電子音を発生する回路１と電球１２を接続し、電子音を発生する回路１を電池ボックス５と接続して電源を供給し、スヌーズスイッチ３の上方に設置したペットボトルのキャップ８を閉めることでスヌーズスイッチ３が入力され、電子音を発生する回路１と電球１２に電源が供給されることにより電子音が発生し電球が点灯することによって、自分の所在場所を音と光で周囲に示す道具。
(57)【要約】      （修正有）【課題】植木鉢で栽培する植物の茎を支える支柱が、風雨等で倒れにくくなる植木鉢を提供する。【解決手段】ポリエチレンや塩化ビニール製の植木鉢本体１の内部底面に、本体と一体形成された支柱差込型固定ソケット２を設け、該支柱差込型ソケット２に支柱を立て、植木鉢１に培養土を入れ、支柱倒れを防止する。【選択図】図１
0003155147.tif 000002
【実用新案登録請求の範囲】
【請求項１】
植木鉢本体と内部底面に一体形成された支柱差込型固定ソケットを設け、支柱倒れを防ぐのを特徴とする植木鉢
【考案の詳細な説明】
【技術分野】
【０００１】  本考案は、内部底面に支柱差込型固定ソケットを設けた、植木鉢に関するのもである。
【背景技術】
【０００２】  土に埋めただけの支柱に植物の茎を支えて栽培していたが、風雨等により支柱が倒れ栽培植物がだめになっていた。
【考案の開示】
【考案解決しようとする課題】
【０００３】  栽培植物の背が、高ければ高い程土中に差しただけの支柱に植物の茎を支えるのは、不安定である。
従って、内部底面に支柱差込型ソケットを設け、支柱を鉢に直接固定し前途の欠点を解決しようとするものである。
【課題を解決するための手段】
【０００４】  本考案は、植木鉢内部底面の中心及び多様性を持たせる為に数カ所に、どんな太さの支柱でも固定できるソケットを設け、本体と一体形成することにより問題点を解決している。
【考案の効果】
【０００５】  上述の様に、本考案の植木鉢は、内部底面に支柱差込型ソケットを設け、風雨等により支柱倒れ防止として役立つ。
【考案の実施するための最良の形態】
【０００６】  鉢に支柱を立て植栽する。
【実施例】
【０００７】  以下、添付図面に従って一実施例を説明する。
１のポリエチレンや塩化ビニール製の本体植木鉢内部底面の支柱差込型ソケット２に、支柱を立て鉢に培養土を入れる。
【図面の簡単な説明】
【０００８】
【図１】本考案の植木鉢の断面図である。
【図２】本考案の植木鉢の平面図である。
【図３】本考案の差込型ソケットの詳細図である。
【符号の説明】
【０００９】１  植木鉢本体
２  支柱差込型固定ソケット
【図１】
0003155147.tif 000003
【図２】
0003155147.tif 000004
【図３】
0003155147.tif 000005
(57)【要約】      （修正有）【課題】保存性／レスポンス率の高いチラシを提供する。【解決手段】チラシの片面、もしくはチラシ内のスペースを使い、コラム形式などを使用し、タウン情報や音楽／映画情報、季節情報、テレビ番組情報、緊急連絡先などのコンテンツを掲載する。【選択図】図１
0003155150.tif 000002
【実用新案登録請求の範囲】
【請求項１】
企業の販売促進用のチラシの保存率／レスポンス率を高めるため、裏面あるいはコラム形式でタウン情報や音楽／映画情報、季節情報、テレビ番組情報などのコンテンツを掲載した紙媒体。
【請求項２】
関連性の高い企業がコラボレーションし、広告費のコスト削減、付加価値を高めことを目的とした請求項１に記載の紙媒体。
【考案の詳細な説明】
【技術分野】
【０００１】  本考案は、チラシ媒体に、保存性の高い付加価値のあるコンテンツ、または企業広告を合体させた、新聞折り込み、ポスティング等で配布される販促媒体に関するものである。
【背景技術】
【０００２】  広告を目的としたチラシ印刷物が新聞の折り込み、ポスティング等で大量に配布されているが、廃棄率が高く、広告主にとって効果的な販促ができていない。【０００３】  費用対効果を考えた場合、効果的な販促・売り上げ増に繋がっているとは言いがたい。
【考案の概要】
【考案が解決しようとする課題】
【０００４】  本考案では請求項１に記載の通り、大量に配布されている企業広告の散漫を解決しようとするものであり、需要の高いコンテンツと合体させることによって、各企業が配布しているチラシの保存／レスポンス率を追及している。
【課題を解決するための手段】
【０００５】紙媒体の裏面あるいはコラム形式でタウン情報や音楽／映画情報、季節情報、テレビ番組情報、便利電話帳などのコンテンツを掲載、保存性を高める。【０００６】季節ごとの期間限定の内容や豆知識等、広告閲覧ターゲットに需要のあるコンテンツを掲載することで消費者の興味を引かせ、保存率・企業の広告効果を上げる。【０００７】他社の広告を掲載することにより媒体料金を一社に負担させず、一社当たりのコストの軽減、媒体としての付加価値を上げる。
【図面の簡単な説明】
【０００８】
【図１】本考案２ページ仕様の全体図である
【図２】本考案２ページ仕様の掲載内容の表面展開図である
【図３】本考案２ページ仕様の掲載内容の中面展開図である
【符号の説明】
【０００９】１  表面
２  中面
【図１】
0003155150.tif 000003
【図２】
0003155150.tif 000004
【図３】
0003155150.tif 000005
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
企業の販売促進用のチラシの保存率／レスポンス率を高めるため、チラシの片面、もしくはチラシ内のスペースを使い、コラム形式などを使用し、タウン情報や音楽／映画情報、季節情報、テレビ番組情報、緊急連絡先などのコンテンツを掲載した紙媒体。
(57)【要約】      （修正有）【課題】珪藻土に水をかけ、その気化熱を利用して冷却効果を得る冷却パネルを提供する。【解決手段】珪藻土を用いた板３の上にホース１などの筒状のものを設置し、そのホース１などに穴２を開け、その穴２から放水された水が珪藻土に継続的に当たるようにすることで継続的な冷却効果を得る。また、使いたい長さに応じて珪藻土やホースの長さを調整し、珪藻土にホースからたれた水が当たるようにする。さらに、水の量は、蛇口を絞ることで容易に調整できる。【選択図】図１
0003155143.tif 000002
【実用新案登録請求の範囲】
【請求項１】
珪藻土の上に、ホースなどを加工したものなどを加工し、珪藻土に水をたらすことで、その気加熱を利用して冷却効果を得るものである。
【考案の詳細な説明】
【技術分野】
【０００１】  本考案は、珪藻土に水をかけ、その気化熱を利用して冷却効果を得ることを目的としたものである。
【背景技術】
【０００２】  以前は気温を少しでも下げるために打ち水などをやっていた。
【考案の開示】
【考案が解決しようとする課題】
【０００３】  打ち水などは冷却効果が一時的なものであり、継続的に効果を得ることができなかったが、本考案を利用することによって前述の欠点を解決しようとしたものである。
【課題を解決するための手段】
【０００４】  本考案は、珪藻土を用いた板の上にホースなどの筒状のものを設置し、そのホースなどに穴を開け、その穴から放水された水が珪藻土に継続的に当たるようにすることで継続的な冷却効果を得て、前述の問題を解決している。
【考案の効果】
【０００５】  上述のように、継続的に冷却効果を得ることを可能にしたものである。蛇口で水の量を調整できるためとても簡単である。
【考案を実施するための最良の形態】
【０００６】  使いたい長さに応じて珪藻土やホースの長さを調整し、珪藻土にホースからたれた水が当たるようにする。
【図面の簡単な説明】
【図１】  本考案の全体図
【符号の説明】  １  珪藻土に水をかけるためのホース
２  水を珪藻土に垂らすための穴
３  珪藻土の板
【図１】
0003155143.tif 000003
【手続補正書】
【提出日】平成21年6月9日(2009.6.9)
【手続補正１】
【補正対象書類名】実用新案登録請求の範囲
【補正対象項目名】全文
【補正方法】変更
【補正の内容】
【実用新案登録請求の範囲】
【請求項１】
珪藻土を用いた板の上にホースなどの筒状のものを設置し、そのホースなど筒状のものを設置し、その筒状のものに穴を開け、その穴から珪藻土に水をたらすことで、その気化熱を利用して冷却効果を得ることを特徴とする冷却パネル。
【手続補正書】
【提出日】平成21年8月6日(2009.8.6)
【手続補正１】
【補正対象書類名】実用新案登録請求の範囲
【補正対象項目名】全文
【補正方法】変更
【補正の内容】
【実用新案登録請求の範囲】
【請求項１】
珪藻土を用いた板の上にホースなどの筒状のものを設置し、その筒状のものに穴を開け、その穴から珪藻土に水をたらすことで、その気化熱を利用して冷却効果を得ることを特徴とする冷却パネル。